(57)【要約】【課題】  扉と壁面とを面一にした状態で容易に設置することができる消火器ケースを提供する。【解決手段】建物の壁面に形成される開口部に収容される本体部と、前記本体部における前面側の開口を覆設し、開閉機構によって回動可能とされる扉と、前記本体部と前記扉における前後方向の間隙を調整可能とする調整手段とを備えることを特徴とする消火器ケース、より好ましくは、前記調整手段は、前記本体部側に連結される前記開閉機構と、前記本体部と前記扉の開放端側とを固着する固着部とを前後方向へ可動させることで調整可能とする消火器ケース、より好ましくは、前記本体側取付部と前記固着部は、相互に可動可能とされる消火器ケース。【選択図】  図１
2017176577.tif 000002
【特許請求の範囲】
【請求項１】
建物の壁面に形成される開口部に収容される本体部と、
前記本体部における前面側の開口を覆設し、開閉機構によって回動可能とされる扉と、
前記本体部と前記扉における前後方向の間隙を調整可能とする調整手段と、
を備えることを特徴とする消火器ケース。
【請求項２】
前記調整手段は、前記本体部側に対して直接的又は間接的に連結される前記開閉機構の本体側取付部と、前記扉の閉蓋状態において前記本体部と前記扉の開放端側とを固着し、前記本体部側に対して直接的又は間接的に設置される固着部とを前後方向へ可動させることで調整可能とする請求項１に記載の消火器ケース。
【請求項３】
前記本体側取付部と前記固着部は、相互に可動可能とされる請求項２に記載の消火器ケース。
【発明の詳細な説明】
【技術分野】
【０００１】
本発明は、消火器ケースに係るものであって、特に建物等の壁面に埋め込んで収容する消火器ケースに関するものである。
【背景技術】
【０００２】
従来より、消火器ケースとして、例えば、建物の壁面に形成された開口部内に取付用ブラケットを固定し、当該取付用ブラケット内に消火器ケース本体を嵌入して取り付け、取付用ブラケットの前部に消火器ケース本体を嵌入する大きさの枠体を設け、且つ、枠体の前端を壁面と面一に取り付けるようにしたものが公知である（特許文献１参照）。
【先行技術文献】
【特許文献】
【０００３】
【特許文献１】特開２００２−３３６３６９号公報
【発明の概要】
【発明が解決しようとする課題】
【０００４】
しかしながら、上記構造では、扉が壁面に面一になるように、ヒンジ部によって消火器ケースより前方に突出して取り付けられる構造としているが、消火器ケース本体の位置決めは、消火器本体の鍔部と取付用ブラケットの当たり部によって行われるため、取付用ブラケットが正確に設置されていないと、扉と壁面とが面一にならないものであり、取付用ブラケットの設置の煩雑さが懸念されるものであった。
【０００５】
そこで、本発明はこのような問題点を解決するものであって、扉と壁面とを面一にした状態で容易に設置することができる消火器ケースを提供することを課題とする。
【課題を解決するための手段】
【０００６】
前記問題点を解決するために、本発明の請求項１に記載の消火器ケースは、建物の壁面に形成される開口部に収容される本体部と、前記本体部における前面側の開口を覆設し、開閉機構によって回動可能とされる扉と、前記本体部と前記扉における前後方向の間隙を調整可能とする調整手段とを備えるものである。
【０００７】
また、本発明の請求項２に記載の消火器ケースは、請求項１に記載の消火器ケースにおいて、前記調整手段は、前記本体部側に対して直接的又は間接的に連結される前記開閉機構の本体側取付部と、前記扉の閉蓋状態において前記本体部と前記扉の開放端側とを固着し、前記本体部側に対して直接的又は間接的に設置される固着部とを前後方向へ可動させることで調整可能とするものである。
【０００８】
また、本発明の請求項３に記載の消火器ケースは、請求項２に記載の消火器ケースにおいて、前記本体側取付部と前記固着部は、相互に可動可能とされるものである。
【発明の効果】
【０００９】
本発明の消火器ケースでは、本体部と扉における前後方向の間隙を調整可能とする調整手段を備えるので、扉と壁面とを面一にした状態で容易に設置することができる。
【図面の簡単な説明】
【００１０】
【図１】本発明の実施例における消火器ケースの斜視図である。
【図２】本発明の実施例における消火器ケースを設置した状態の正面図である。
【図３】本発明の実施例における図２のＡ−Ａ線拡大断面図である。
【図４】本発明の実施例における図２のＢ−Ｂ線断面図である。
【図５】本発明の実施例における扉の位置調整後の消火器ケースの斜視図である。
【図６】本発明の実施例における扉の位置調整後の消火器ケースを設置した状態の上方側横断面図である。
【図７】本発明の実施例における扉の位置調整後の消火器ケースを設置した状態の左側面を示す縦断面図である。
【図８】本発明の別実施例における扉の位置調整後の消火器ケースを設置した状態の右側面を示す一部省略拡大縦断面図である。
【発明を実施するための形態】
【実施例】
【００１１】
以下、本発明の実施の形態における消火器ケースを図面に基づいて説明する。消火器ケースは、図２から図４に示すように、例えば、建物等の壁面Ｗに埋め込んで収容されている。当該消火器ケースは、建物の壁面Ｗに形成される開口部に収容される本体部１０と、本体部１０における前面側の開口を覆設し、開閉機構３０によって回動可能とされる扉２０と、本体部１０と扉２０における前後方向の間隙を調整可能とする調整手段とを備えてなる。
【００１２】
当該消火器ケースにおいて、設置する壁面Ｗの地面側を当該ケースの下方とし、天井側を当該ケースの上方とする。また、当該ケースの扉２０側を前方とし、ケース内の収容空間１６側を後方とする。
【００１３】
本体部１０は、図１から図４に示すように、左右側面板１１と、天面板１２と、底面板１３と、後面板１４とから構成され、前方が開口した箱状を形成しており、例えば、金属板等によって形成される。
【００１４】
また、左右側面板１１の前方側には、外周縁部から外側方向に向けて鍔部１５が折曲して設けられており、本体部１０の内部に消火器ＦＥを収容可能とする収容空間１６を形成している。
【００１５】
また、本体部１０の前方には、本体部１０の開口を覆設する扉２０が設けられる。当該扉２０は、少なくとも本体部１０の開口領域と同等となるように形成されており、外観上における美観の観点から、本体部１０における鍔部１５の外形形状と略同等に形成されるか、外形形状より大きくなるよう形成されることが望ましい。
【００１６】
また、扉２０は、本体部１０における左右側面板１１のいずれか一方と扉２０の一端とが開閉機構３０によって連結されており、本体部１０の開口に対して開閉可能となるよう構成される。このとき、開閉機構３０が設置される一端は扉２０の基端側とされ、固着部３６が設置される他端は扉２０の開放端側とされる。扉２０は、本体部１０と同様にして、金属板等によって形成される。
【００１７】
開閉機構３０は、例えば、スライドヒンジとされ、アーム部を有して構成される本体側取付部３１及び扉側取付部３２とが連結部３３を介して枢設されている。また、本体側取付部３１は、例えば、板状体からなる固定部３４を介して間接的に本体部１０に設置されており、固定部３４の前後方向に形成される長孔３５によって、本体側取付部３１の設置位置を前後方向に調整可能としている。また、本体側取付部３１は、左右側面板１１の前後方向に形成される長孔３５を介して直接的に本体部１０に設置することができるのは勿論である。
【００１８】
さらに、開閉機構３０においては、その他の公知技術とされるヒンジ等を採用することができるのは勿論である。このようにして開閉機構３０が連結される扉２０は、本体部１０の鍔部１５よりも前方に位置した状態で取り付けられる。
【００１９】
また、本体部１０における左右側面板１１の他方には、磁力の吸着力を利用したマグネットラッチ等の固着部３６が直接的に設置されており、当該固着部３６に扉２０の開放端側を吸着させることで本体部１０に対する扉２０の閉蓋状態を可能としている。また、固着部３６においては、扉２０に吸着される軸部（図示しない）を前後方向へ伸縮させる調整部３７が設けられるものを採用することができる。
【００２０】
また、固着部３６は、これに限られることなく、開閉機構３０と同様にして、図８に示すように、左右側面板１１の前後方向に形成される長孔３５を介して直接的に本体部１０に設置することもできるし、固定部（図示しない）を介して間接的に本体部１０に設置することができるのは勿論である。
【００２１】
このとき、固定部３４の長孔３５、固着部３６の調整部３７は、本体部１０と扉２０における前後方向の間隙を調整可能とする調整領域を有してなり、消火器ケースの大きさに応じて、当該調整領域を適宜の可動範囲に設定することができるのは勿論である。また、当該調整手段は、扉２０の基端側、開放端側にて相互に独立して調整することができるので、本体部１０に対して、扉２０における基端側の間隙と開放端側の間隙を異なるよう設定することができる。
【００２２】
このようにして構成される消火器ケースは、建物における壁面Ｗ内部の開口部に収容される固定用ブラケットＷ１に設置される。具体的には、開口部内に消火器ケースを嵌入し、ネジ等の固着手段にて本体部１０を固定用ブラケットＷ１に固定する。このとき、本体部１０の鍔部１５を固定用ブラケットＷ１の前方側から当接させることで、本体部１０の位置決めを容易に行うことができる構成としている。
【００２３】
そして、消火器ケースの設置時において、扉２０と壁面Ｗとの間隙が大きい場合には、図５から図７に示すように、消火器ケースにおける扉２０の前方面が壁面Ｗに対して面一となるように調整手段にて調整する。具体的には、開閉機構３０においては、本体部１０に対する固定部３４の設置位置を長孔３５を介して前方へと可動させることで、本体部１０と扉２０の基端側との間隙を調整する。さらに、本体部１０の固着部３６においては、固着部３６の軸部の長さを調整部３７を介して前方へと伸長させることで、本体部１０と扉２０の開放端側との間隙を調整する。
【００２４】
このようにして、消火器ケースの調整手段によって、扉２０の基端側、開放端側にて、本体部１０と扉２０との間隙を相互に独立して調整することができるので、壁面Ｗの開口部に対して固定用ブラケットＷ１が正確に設置されていない場合、例えば、壁面Ｗに対して固定用ブラケットＷ１が傾いて設置される等であっても、扉２０の前方面を壁面Ｗに対して面一となるよう容易に調整することができる。
【００２５】
以上、説明した本発明に係る消火器ケースによれば、扉２０と壁面Ｗとを面一にした状態で容易に壁面Ｗの開口部に設置することができるので、作業性を向上させることができるとともに、設置時における美感を優れたものとすることができる。
【００２６】
当該発明は、上述の実施形態の構成に限定されるものではなく、本体部１０、扉２０、開閉機構３０、調整手段の形状、寸法、材質等を適宜変更して実施することが可能である。例えば、本体部１０は、前方側に扉２０を設置し得る構造であれば、断面視半円状等であってもよいし、これに限られるものではない。
【００２７】
また、開閉機構３０は、本体部１０における左右側面板１１のいずれか一方と扉２０の一端とを連結するものであったが、これに限られるものではない。例えば、開閉機構３０は、本体部１０における天面板１２、底面板１３のいずれか一方と扉２０の一端とを連結するものであってもよい趣旨である。係る際において、固着部３６を天面板１２、底面板１３の他方側に設置するのは勿論である。
【００２８】
また、調整手段においては、長孔に限られるものではなく、例えば、本体部１０に直線状等に形成されるレール部を有し、開閉機構３０の本体側取付部３１、固着部３６にこれに対応させたガイド部を有した態様とし、前後方向に摺動可能な構成とすることができるのは勿論である。また、調整手段においては、前後方向における所定寸法を連続して調整可能とするものに限られることなく、段階的に調整可能とするものをも含む趣旨である。
【００２９】
また、一部構成を省略することができるし、一部抽出した構成とすることができるのは勿論である。
【符号の説明】
【００３０】
１０    本体部
１１    左右側面板
１２    天面板
１３    底面板
１４    後面板
１５    鍔部
１６    収容空間
２０    扉
３０    開閉機構
３１    本体側取付部
３２    扉側取付部
３３    連結部
３４    固定部
３５    長孔
３６    固着部
３７    調整部
ＦＥ    消火器
Ｗ      壁面
Ｗ１    固定用ブラケット
【図１】
2017176577.tif 000003
【図２】
2017176577.tif 000004
【図３】
2017176577.tif 000005
【図４】
2017176577.tif 000006
【図５】
2017176577.tif 000007
【図６】
2017176577.tif 000008
【図７】
2017176577.tif 000009
【図８】
2017176577.tif 000010